(57)【要約】【課題】施工性がよく、品質を均一に維持することができる床構造および床の施工方法を提供する。【解決手段】床下地材２と、床下地材２の上面に貼り付けられた防水テープ３と、床下地材２および防水テープ３の上面に並べて貼り付けられた複数の床仕上げ材４と、を有し、防水テープ３は、隣接する床仕上げ材４の継ぎ目部分４４の下側に配置され、床下地材２に貼り付けられる下面のみに防水テープ接着面３３が設けられ、床仕上げ材４は、仕上げ面と反対側の面となる下面に床仕上げ材接着面４３が設けられている。【選択図】図２
2020148012.tif 000002
【特許請求の範囲】
【請求項１】
床下地材と、
前記床下地材の上面に貼り付けられた防水テープと、
前記床下地材および前記防水テープの上面に並べて貼り付けられた複数の床仕上げ材と、を有し、
前記防水テープは、隣接する前記床仕上げ材の継ぎ目部分の下側に配置され、前記床下地材に貼り付けられる下面のみに防水テープ接着面が設けられ、
前記床仕上げ材は、仕上げ面と反対側の面となる下面に床仕上げ材接着面が設けられていることを特徴とする床構造。
【請求項２】
前記防水テープは、透明または半透明である請求項１に記載の床構造。
【請求項３】
前記防水テープは、厚さ寸法が０．０９〜０．２５ｍｍである請求項１又は２に記載の床構造。
【請求項４】
前記床仕上げ材は、少なくとも前記防水テープと当接する部分に前記床仕上げ材接着面が設けられている請求項１乃至３のいずれか一項に記載の床構造。
【請求項５】
床下地材の上面に複数の床仕上げ材を並べて貼り付ける床の施工方法において、
前記床下地材の上面に防水テープを貼り付ける防水テープ貼り付け工程と、
前記床下地材および前記防水テープの上面に床仕上げ材を貼り付ける床仕上げ材貼り付け工程と、を有し、
前記防水テープ貼り付け工程では、隣接する前記床仕上げ材の継ぎ目部分の下側となる位置に、下面のみに防水テープ接着面が設けられた前記防水テープを前記床下地材の上面に貼り付け、
床仕上げ材貼り付け工程では、仕上げ面と反対側の面となる下面に床仕上げ材接着面が設けられた前記床仕上げ材を、前記床下地材および前記防水テープの上面に貼り付けることを特徴とする床の施工方法。
【請求項６】
前記防水テープ貼り付け工程では、前記床下地材の上面に前記床仕上げ材を仮置きし、仮置きした前記床仕上げ材の端部の位置に沿ってけがき線を設け、仮置きした前記床仕上げ材を外して、前記床下地材に設けられた前記けがき線に沿って前記防水テープを貼りつける請求項５に記載の床の施工方法。
【発明の詳細な説明】
【技術分野】
【０００１】
本発明は、床構造および床の施工方法に関する。
【背景技術】
【０００２】
従来、既存の床材や新設の床下地材（併せて床下地材と称する）の上面にクッションフロアなどのシート状の床仕上げ材を施工する場合、床下地材の上面に接着剤を塗布、または床下地材の上面に両面テープを貼り、これらの接着剤や両面テープの上面に床仕上げ材を載置して床下地材に接着している（例えば、特許文献１および２参照）。
【０００３】
水回り空間などの床下地材の上面に床仕上げ材を並べて設置する場合、隣接する床仕上げ材の継ぎ目部分から床仕上げ材と床下地材との間に水が入り込むことを防止するために、隣接する床仕上げ材の継ぎ目部分の下側に防水テープを貼り付けている。防水テープは、隣接する床仕上げ材の両方の下側に跨るように床下地材の上面に貼り付けられている。
防水テープは、両面が接着面となる両面テープとなっていて、下面が床下地材に貼り付けられ、上面に床仕上げ材が貼り付けられている。
【先行技術文献】
【特許文献】
【０００４】
【特許文献１】特開２０１８−１３１８７０号公報
【特許文献２】特開２０１７−６１７９６号公報
【発明の概要】
【発明が解決しようとする課題】
【０００５】
床仕上げ材を施工する際に、床下地材の上面に接着剤が塗布されていたり両面テープが貼られていたりして、接着面が上方に露出していると、この接着面に施工者や、床仕上げ材などの材料、工具などが意図せずに接触する虞がある。これにより、接着剤や両面テープが剥がれたりよれたりして、接着性能が低下する虞があるとともに、施工が中断されたり、材料や工具が汚れてしまったりして施工性が悪くなる虞もある。
また、接着面が上向きに露出しているため、接着面にゴミや埃がついてしまい、接着性能が低下したり、接着性能にばらつきが生じたりする虞もある。
【０００６】
そこで、本発明は、施工性がよく、品質を均一に維持することができる床構造および床の施工方法を提供することを目的とする。
【課題を解決するための手段】
【０００７】
上記目的を達成するため、本発明に係る床構造は、床下地材と、前記床下地材の上面に貼り付けられた防水テープと、前記床下地材および前記防水テープの上面に並べて貼り付けられた複数の床仕上げ材と、を有し、前記防水テープは、隣接する前記床仕上げ材の継ぎ目部分の下側に配置され、前記床下地材に貼り付けられる下面のみに防水テープ接着面が設けられ、前記床仕上げ材は、仕上げ面と反対側の面となる下面に床仕上げ材接着面が設けられていることを特徴とする。
【０００８】
上記目的を達成するため、本発明に係る床の施工方法は、床下地材の上面に複数の床仕上げ材を並べて貼り付ける床の施工方法において、前記床下地材の上面に防水テープを貼り付ける防水テープ貼り付け工程と、前記床下地材および前記防水テープの上面に床仕上げ材を貼り付ける床仕上げ材貼り付け工程と、を有し、前記防水テープ貼り付け工程では、隣接する前記床仕上げ材の継ぎ目部分の下側となる位置に、下面のみに防水テープ接着面が設けられた前記防水テープを前記床下地材の上面に貼り付け、床仕上げ材貼り付け工程では、仕上げ面と反対側の面となる下面に床仕上げ材接着面が設けられた前記床仕上げ材を、前記床下地材および前記防水テープの上面に貼り付けることを特徴とする。
【０００９】
本発明では、床仕上げ材は、下面に床仕上げ材接着面が設けられていることにより、床下地材や防水テープの上面に接着剤を塗布したり、床下地材の上面に両面テープを貼り付けたり、防水テープを両面テープとしたりしなくても床仕上げ材を床下地材および防水テープの上面に貼り付けることができる。本発明では、接着面とは、接着剤による接着層が設けられ、他の部材と当接すると他の部材が接着される面を示している。
床仕上げ材を床下地材および防水テープに貼り付ける際には、床下地材および防水テープの上面は接着面ではないため、床下地材および防水テープの上面に施工者や、床仕上げ材などの材料、工具などが意図せずに接触しても、床仕上げ材の接着性能には影響せず、施工が中断されたり、材料や工具が汚れたりすることはない。
このように、本発明では、床下地材および防水テープの上面が接着面である床構造および床の施工方法と比べて、施工性がよく、品質を均一に維持することができる。
また、防水テープの上面が接着面ではないため、隣接する床仕上げ材の間にゴミや埃が入り込んだとしても、そのゴミや埃が防水テープに接着されることがなく、清掃性がよい。
本発明では、「床下地材」は、防水テープおよび床仕上げ材が貼り付けられる床の材料を示している。例えば、新築の場合は、防水テープおよび床仕上げ材が貼り付けられる床の下地材を示し、既存床の床仕上げ材に防水テープおよび床仕上げ材が貼り付けられる場合は、既存床の床仕上げ材を示し、既存床の床仕上げ材を剥がし既存床の床下地材に防水テープおよび床仕上げ材が貼り付けられる場合は、既存床の床下地材を示している。
【００１０】
また、本発明に係る床構造では、前記防水テープは、透明または半透明であってもよい。
このような構成とすることにより、床下地材に防水テープを貼り付けた状態でも、防水テープを介して床下地材を視認することができる。このため、床下地材に、防水テープや床仕上げ材の位置を示すけがき線を設けた場合に、防水テープを床下地材に貼り付けた後でも防水テープを介してけがき線を確認することができる。
【００１１】
また、本発明に係る床構造では、前記防水テープは、厚さ寸法が０．０９〜０．２５ｍｍであってもよい。
このような構成とすることにより、防水テープの防水機能を確保できるとともに、防水テープと床下地材との段差に床仕上げ材を追従させて設けることができる。
【００１２】
また、本発明に係る床構造では、前記床仕上げ材は、少なくとも前記防水テープと当接される部分に前記床仕上げ材接着面が設けられていてもよい。
このような構成とすることにより、床仕上げ材と防水テープとが接着されるため、床仕上げ材と防水テープとの間に水が入り込むことを防止することができる。
【００１３】
また、本発明に係る床の施工方法では、前記防水テープ貼り付け工程では、前記床下地材の上面に前記床仕上げ材を仮置きし、仮置きした前記床仕上げ材の端部の位置に沿ってけがき線を設け、仮置きした前記床仕上げ材を外して、前記床下地材に設けられた前記けがき線に沿って前記防水テープを貼りつけてもよい。
このような構成とすることにより、床下地材に設けられたけがき線に沿って防水テープおよび床仕上げ材を貼り付ければよいため、容易に施工することができる。
【発明の効果】
【００１４】
本発明によれば、施工性がよく、品質を均一に維持することができる。
【図面の簡単な説明】
【００１５】
【図１】本発明の実施形態によるトイレ室の一例を示す平面図である。
【図２】図１のＡ−Ａ線断面図である。
【図３】床仕上げ材を貼り付ける前の状態を示す図である。
【図４】既存の床仕上げ材を剥がした状態を示す図である。
【図５】第１床仕上げ材切断工程、第１防水テープ貼り付け工程を説明する平面図である。
【図６】図５に続く第１防水テープ貼り付け工程を説明する平面図である。
【図７】第２床仕上げ材貼り付け工程を説明する平面図である。
【図８】床仕上げ材および防水テープが全体に貼り付けられた状態を説明する平面図である。
【発明を実施するための形態】
【００１６】
以下、本発明の実施形態による床構造１および床の施工方法について、図１−図８に基づいて説明する。
図１に示すように、本実施形態による床構造１および床の施工方法は、便器１１が設けられるトイレ室１２を改修する際の床構造１および床の施工方法で、既存の床仕上げ材の上面に新設の防水テープ３および新設の床仕上げ材４を貼り付けている。
以下では、既存の床仕上げ材を床下地材２とする。なお、図２および図３では、既存の床仕上げ材と床下地材とを一体に示し、一体に示された床仕上げ材および床下地材に床下地材２の符号をつけている。
【００１７】
本実施形態のトイレ室１２は、平面形状が長方形で、四方が壁１３に囲まれ、４つの壁１３のうちの１つの壁１３（第１壁１３１とする）にドア１４が取り付けられた開口部１５が設けられている。
第１壁１３１に沿った水平方向を幅方向とし、幅方向に直交する水平方向を奥行き方向とする。
トイレ室１２は、幅方向よりも奥行き方向に長い形状で、奥行き方向の一方側（手前側、図１の下側）に第１壁１３１が設けられている。トイレ室１２は、内部における奥行き方向の他方側（奥側、図１の上側）に寄った位置に便器１１が設置されている。
奥行き方向の他方側（図１の左側）の壁１３を第２壁１３２、幅方向の一方側（図１の右側）の壁１３を第３壁１３３、幅方向の他方側の壁１３を第４壁１３４とする。
【００１８】
図２に示すように、床構造１は、床下地材２と、床下地材２の上面に貼り付けられた防水テープ３と、床下地材２および防水テープ３の上面に貼り付けられた床仕上げ材４と、を有している。床下地材２は、上述したように既存の床下地材で、合板やコンクリートパネルなどで構成され、上面が平坦面に形成されている。床下地材２は、便器１１と接続される給水管１６や排水管１７が貫通している。
【００１９】
図１に示すように、床仕上げ材４は、クッションフロアなどのシート状の材料で、複数並んで配置されている。以下では、複数並んでいる１つ１つを床仕上げ材４として説明する。
本実施形態では、床仕上げ材４は、長尺に形成され、長手方向がトイレ室１２の幅方向となる向きで配置されている。床仕上げ材４は、長手方向の寸法がトイレ室１２の幅方向の寸法と同じ寸法に形成されている。
床仕上げ材４は、トイレ室１２の幅方向の寸法よりも長い長尺の床仕上げシート材から必要長さを切断することで製作されている。本実施形態では、床仕上げ材４の短手方向の寸法は、床仕上げシート材の短手方向の寸法としている。
【００２０】
床仕上げ材４は、長手方向がトイレ室１２の幅方向となる向きでトイレ室１２の奥行き方向に並んで配置されている。奥行き方向に隣り合う床仕上げ材４は、互いの端部を突き合わせている。床仕上げ材４は、長手方向の両端部が第３壁１３３、第４壁１３４と当接している。第３壁１３３、第４壁１３４に巾木が設けられている場合は、床仕上げ材４は巾木と当接している。
【００２１】
図２に示すように、床仕上げ材４は、クッションフロアなどのシート状の本体部４１と、本体部４１の下側全体に設けられた床仕上げ材接着部４２と、を有している。床仕上げ材接着部４２は、両面が接着面となる両面テープなどで、一方の接着面が本体部４１の下面に接着され、他方の接着面（床仕上げ材接着面４３とする）が、床下地材２および防水テープ３に貼り付けられるように構成されている。
床仕上げ材４（床仕上げシート材）は、床仕上げ材接着部４２が本体部４１に接着され、床仕上げ材接着面４３に剥離紙（不図示）が設けられた状態で現場に搬入され、剥離紙が剥がされることで床仕上げ材接着面４３が露出するように構成されている。
なお、床仕上げ材４は、床仕上げ材接着部４２が接着剤で構成され、本体部４１の下側全体に接着剤（床仕上げ材接着部４２）が塗布された構成であってもよい。
【００２２】
図１に示すように、防水テープ３は、床下地材２の上面における奥行き方向に隣り合う床仕上げ材４の継ぎ目部分４４の下側に貼り付けられている。床下地材２の継ぎ目部分４４とは、隣り合う床下地材２の間のみでなく。隣り合う床下地材２の互いに突き合わされた端部とその近傍を含めた領域を示している。
本実施形態では、複数の床下地材２が奥行き方向に配列されていて、奥行き方向に隣り合う床下地材２の継ぎ目部分４４も複数設けられている。このため、防水テープ３は、奥行き方向に複数設けられている。
【００２３】
防水テープ３は、長尺に形成され長手方向の寸法がトイレ室１２の幅方向の寸法と同じ寸法に形成され、長手方向がトイレ室１２の幅方向となる向きに配置されている。
防水テープ３は、ロール状に巻回された防水テープから引き出して必要長さを切断することで所定の寸法としている。
防水テープ３は、短手方向の中心線が、隣り合う床下地材２の互いに突き合わされた端部の略下側に位置するように床下地材２の上面に貼り付けられている。
防水テープ３の奥行き方向の寸法（短手方向の寸法）は、床仕上げ材４の奥行き方向の寸法よりも短く設定されている。例えば、床仕上げ材４の短手方向の寸法を１５０ｍｍとし、防水テープ３の短手方向の寸法を４０ｍｍとする。
奥行き方向に隣り合う防水テープ３は、奥行き方向に離間している。
【００２４】
防水テープ３は、防水機能を有するシート状の基材３１と、基材３１の一方の面全体に設けられた防水テープ接着部３２と、を有している。防水テープ３は、基材３１が上側、防水テープ接着部３２が下側となる向きで床下地材２の上面に貼り付けられている。
基材３１は、ポリプロピレン（ＰＰ）やポリエチレン（ＰＥ）などでフィルム状に形成されている。
【００２５】
防水テープ接着部３２は、シート状の接着層で、一方の面が基材３１と接着しているとともに、他方の面（防水テープ接着面３３とする）が、床下地材２の上面に貼り付けられるように構成されている。
床下地材２（既存の床仕上げ材）が塩ビ系のクッションフロアなどで可塑剤が含まれている場合は、防水テープ３の防水テープ接着部３２を可塑剤の影響による劣化の少ないアクリル系粘着剤とすることが好ましい。
防水テープ３は、所定の硬度を有しつつ、床下地材２に追従して変形可能に構成されている。
防水テープ３は、透明に形成されている。このため、床下地材２の上面に防水テープ３が貼り付けられても、防水テープ３を介して床下地材２の上面を見通せることが可能である。
防水テープ３は、基材３１および防水テープ接着部３２を含めた全体の厚さが０．０９〜０．２５ｍｍとなっている。
【００２６】
図３に示すように、本実施形態による床構造１では、床下地材２の上面に防水テープ３が貼り付けられ、床下地材２および防水テープ３の上面に床仕上げ材４が貼り付けられている。図２に示すように、１つの防水テープ３の上面には、隣り合う２つの床仕上げ材４が貼り付けられている。
床仕上げ材４は、床下地材２と、防水テープ３との段差に追従して貼り付けられている。
【００２７】
続いて、床の施工方法について説明する。
まず、図４に示すように、既存の便器１１（図１参照）を撤去し、既存の床仕上げ材の上面を清掃し汚れを取る準備工程を行う。
上述しているが、既存の床仕上げ材を床下地材２とする。
準備工程では、床下地材２の上面に凹凸がある場合は、凹凸を埋めて平坦な面とする。
トイレ室１２は、既存の便器１１（図１参照）が撤去され、床下地材２の給水管１６および排水管１７が露出している。
【００２８】
続いて、床仕上げシート材からトイレ室１２の奥行き方向の一方側（ドア１４が設けられている側）に配置される床仕上げ材４（第１床仕上げ材４５とする、図１参照）を床の幅方向の寸法に合わせて切断する第１床仕上げ材切断工程を行う。
上述したように、本実施形態では、床仕上げ材４は、トイレ室１２の幅方向の寸法よりも長い長尺の床仕上げシート材を切断することで製作され、床仕上げ材４の短手方向の寸法は、床仕上げシート材の短手方向の寸法としている。第１床仕上げ材切断工程では、床仕上げシート材は、剥離紙が貼られ、床仕上げ材接着面４３が露出していない。
【００２９】
まず、図５に示すように、床仕上げシート材を床下地材２の上面の第１床仕上げ材４５（図１参照）は配置される位置２５に仮置きする。床仕上げシート材を第３壁１３３に当接させるとともに、トイレ室１２のドア１４の下枠または、ドア１４の下側に配置された床見切り材に当接させる。そして、床仕上げシート材を第４壁１３４の位置で切断する。これにより、トイレ室１２の床の幅寸法と同じ寸法の第１床仕上げ材４５が製作される。
ドア１４の縦枠とドア１４の下枠や床見切り材とが奥行き方向の位置が異なる場合は、第１床仕上げ材４５（床仕上げシート材）に切り欠きを形成して、第１床仕上げ材４５をドア１４の縦枠およびドア１４の下枠や床見切り材と嵌合する形状に加工する。
なお、第１床仕上げ材４５を製作する際には、床の幅方向の寸法を測定してその寸法分を床仕上げシート材から切断して第１床仕上げ材４５を製作してもよい。
【００３０】
続いて、第１床仕上げ材４５と第１床仕上げ材４５の奥行き方向の他方側に隣接して配置される床仕上げ材４（第２床仕上げ材４６とする、図１参照）の継ぎ目部分４４の下側となる位置で、防水テープ３（第１防水テープ３５）を床下地材２の上面に貼り付ける第１防水テープ貼り付け工程（防水テープ貼り付け工程）を行う。
まず、第１床仕上げ材４５を床下地材２の上面の実際に貼り付けられる位置に仮置きし、第１床仕上げ材４５の奥行き方向の他方側の端部に沿って床下地材２に第１けがき線２１を設ける。この第１けがき線２１が第１床仕上げ材４５と第２床仕上げ材４６の継ぎ目部分４４の下側となる。
仮置きした第１床仕上げ材４５を取り外し、図６に示すように、床下地材２に設けられた第１けがき線２１に沿って第１防水テープ３５を床下地材２の上面に貼り付ける。このとき、第１けがき線２１に第１防水テープ３５の短手方向の中央近傍を重ねる。
本実施形態では、第１防水テープ３５が透明であるため、第１防水テープ３５が床下地材２に貼られても、第１けがき線２１は第１防水テープ３５の上側から視認可能となる。
【００３１】
続いて、図７に示すように、第１床仕上げ材４５を床下地材２および第１防水テープ３５の上面に貼り付ける第１床仕上げ材貼り付け工程（床仕上げ材貼り付け工程）を行う。図７では、第２床仕上げ材４６も示しているが、第１床仕上げ材貼り付け工程では、第１床仕上げ材４５のみを床下地材２および第１防水テープ３５の上面に貼り付ける。
第１床仕上げ材４５の剥離紙を剥がし、第１床仕上げ材の床仕上げ材接着面４３を露出させ、床下地材２および防水テープ３の上面に第１床仕上げ材４５を貼り付ける。
このとき、第１床仕上げ材４５の奥行き方向の他方側の端部が第１けがき線２１と重なるように、第１床仕上げ材４５を床下地材２の上面に貼り付ける。また、床仕上げ材４を防水テープ３と床下地材２との段差に追従させて、防水テープ３と床下地材２との段差と第１床仕上げ材４５との間に隙間が生じないようにする。
【００３２】
続いて、床仕上げシート材から第２床仕上げ材４６を床の幅方向の寸法に合わせて切断する第２床仕上げ材切断工程を行う。
図７に示すように、第１床仕上げ材切断工程と同様に、床仕上げシート材を第２床仕上げ材４６が配置される位置で床下地材２の上面に仮置きして切断し、第２床仕上げ材４６を製作する。床仕上げシート材を第２床仕上げ材４６が配置される位置に仮置きする際には、床仕上げシート材を第３壁１３３に当接させるとともに、第１床仕上げ材４５の奥行き方向の他方側の端部に当接させる。
【００３３】
続いて、第２床仕上げ材４６と第２床仕上げ材４６の奥行き方向の他方側に隣接して配置される床仕上げ材４（第３床仕上げ材４７とする）の継ぎ目部分４４の防水テープ３（第２防水テープ３６）を床下地材２の上面に貼り付ける第２防水テープ貼り付け工程（防水テープ貼り付け工程）を行う。
第１防水テープ貼り付け工程と同様に、第２床仕上げ材４６を床下地材２の上面に仮置きし、仮置きした第２床仕上げ材４６の奥行き方向の他方側の縁部に沿って第２けがき線２２を設け、この第２けがき線２２に沿って防水テープ３を床下地材２の上面に貼り付ける。
【００３４】
続いて、第２床仕上げ材４６を床下地材２および第２防水テープ３６の上面に貼り付ける第２床仕上げ材貼り付け工程（床仕上げ材貼り付け工程）を行う。
第１床仕上げ材貼り付け工程と同様に、第２床仕上げ材４６を床下地材２および第２防水テープ３６の上面に貼り付ける。
【００３５】
このように、奥行き方向の一方側から他方側に向かって、床仕上げシート材から床仕上げ材４を切断する床仕上げ材切断工程、防水テープ３を床下地材２の上面に貼り付ける防水テープ貼り付け工程、床仕上げ材４を床下地材２の上面および防水テープ３の上面に貼り付ける床仕上げ材貼り付け工程を順に繰り返し、トイレ室１２の奥行き方向の他方側まで防水テープ３および床仕上げ材４を床下地材２の上面に貼り付ける。
給水管１６および排水管１７と干渉する部分は、防水テープ３および床仕上げ材４を貼り付けず、床下地材２の給水管１６および排水管１７の側面まで防水テープ３および床仕上げ材４を貼り付ける。
トイレ室１２の奥行き方向の他方側の第２壁１３２に沿って設けられる床仕上げ材４は、床仕上げシート材から床仕上げ材４を切断する床仕上げ材切断工程において床仕上げ材４の幅方向の寸法のみでなく奥行き方向の寸法の調整が必要な場合は、幅方向のみでなく奥行き方向の寸法に合わせた切断も行う。
【００３６】
次に、上述した本実施形態による床構造１および床の施工方法の作用・効果について図面を用いて説明する。
上述した本実施形態による床構造１および床の施工方法では、床仕上げ材４は、下面に床仕上げ材接着面４３が設けられていることにより、床下地材２や防水テープ３の上面に接着剤を塗布したり、床下地材２の上面に両面テープを貼り付けたり、防水テープ３を両面テープとしたりしなくても床仕上げ材４を床下地材２および防水テープ３の上面に貼り付けることができる。
床仕上げ材４を床下地材２および防水テープ３の上面に貼り付ける際には、床下地材２および防水テープ３の上面は接着力を有する接着面ではないため、床下地材２および防水テープ３の上面に施工者や、床仕上げ材４などの材料、工具などが意図せずに接触しても、床仕上げ材４の接着力には影響せず、施工が中断されたり、材料や工具が汚れたりすることはない。
このように、本発明では、床下地材２および防水テープ３の上面に接着面が設けられた床構造１および床の施工方法と比べて、施工性がよく、品質を均一に維持することができる。
また、防水テープ３の上面には接着面が設けられていないため、隣接する床仕上げ材４の間にゴミや埃が入り込んだとしても、そのゴミや埃が防水テープ３に接着されることがなく、清掃性がよい。
【００３７】
また、防水テープ３は、透明であることにより、床下地材２の上面に防水テープ３を貼り付けた状態でも、防水テープ３を介して床下地材２を視認することができる。このため、床下地材２にけがき線２１，２２を設けた場合に、防水テープ３を床下地材２の上面に貼り付けた後でも防水テープ３を介してけがき線２１，２２を確認することができる。
【００３８】
また、防水テープ３は、厚さ寸法が０．０９〜０．２５ｍｍであることにより、防水テープ３の防水機能を確保できるとともに、防水テープ３と床下地材２との段差に床仕上げ材４を追従させて設けることができる。
防水テープ３が０．０９ｍｍ以下であると、貼り付ける床下地材２の上面の不陸の影響により防水テープ３に凹凸が生じやすく、防水テープ３と床下地材２との間に隙間が生じる虞がある。また、防水テープ３が０．２５ｍｍを超えると、防水テープ３の上面と床下地材２の上面との段差が床仕上げ材４に影響し、床仕上げ材４の上面の段差が目立ってしまう虞がある。
【００３９】
また、防水テープ貼り付け工程では、床下地材２の上面に床仕上げ材４を仮置きし、仮置きした床仕上げ材４の端部の位置に沿ってけがき線２１，２２を設け、床仕上げ材４を外して、床下地材２に形成されたけがき線２１，２２に沿って防水テープ３を貼りつけている。
このような構成とすることにより、けがき線２１，２２に沿って防水テープ３および床仕上げ材４を容易に施工することができる。
【００４０】
以上、本発明による床構造１および床の施工方法の実施形態について説明したが、本発明は上記の実施形態に限定されるものではなく、その趣旨を逸脱しない範囲で適宜変更可能である。
例えば、上記の実施形態では、既存の床仕上げ材を剥がして、既存の床仕上げ材の上面に防水テープ３および新設の床仕上げ材４を施工しているが、新設の床下地材２の上面に防水テープ３および新設の床仕上げ材４を施工してもよい。また、床仕上げ材４の配列は適宜設定されてよく、隣接する床仕上げ材４の継ぎ目部分に防水テープ３が設けられていればよい。また、防水テープ３を交差させたり、継ぎ足したりする場合には、防水テープ３が重なって設けられてもよい。
【００４１】
また、上記の実施形態では、既存の床仕上げ材を床下地材２とし、既存の床仕上げ材の上面に防水テープ３および新設の床仕上げ材４を施工している。これに対し、既存の床仕上げ材を剥がして露出した既存の床下地材を床下地材２とし、既存の床下地材の上面に新設の防水テープ３および新設の床仕上げ材４を施工してもよい。
【００４２】
また、上記の実施形態では、トイレ室１２の床構造１および床の施工方法であるが、トイレ室１２以外の部屋の床構造や床の施工方法に本発明を適用してもよい。
また、上記の実施形態では、防水テープ３は、透明であるが、半透明や不透明であってもよい。
また、上記の実施形態では、防水テープ３は、厚さ寸法が０．０９〜０．２５ｍｍが好ましいが、これ以外の値であってもよい。
【００４３】
また、上記の実施形態では、床仕上げ材４は、下面全体が床仕上げ材接着面４３であるが、少なくとも防水テープ３と当接される部分に床仕上げ材接着面４３が設けられていればよい。床仕上げ材４の少なくとも防水テープ３と接着される部分に床仕上げ材接着面４３が設けられていれば、床仕上げ材４と防水テープ３とが接着されるため、床仕上げ材４と防水テープ３との間に水が入り込むことを防止することができる。
【００４４】
また、上記の実施形態では、防水テープ貼り付け工程では、床下地材２の上面に床仕上げ材４を仮置きし、仮置きした床仕上げ材４の端部の位置に沿ってけがき線２１，２２を設け、床仕上げ材４を外して、床下地材２に設けられたけがき線２１，２２に沿って防水テープ３を貼りつけている。これに対し、床下地材２にけがき線２１，２２を設けずに、防水テープ３を貼り付けてもよい。
【符号の説明】
【００４５】
１  床構造
２  床下地材
３  防水テープ
４  床仕上げ材
２１  第１けがき線（けがき線）
２２  第２けがき線（けがき線）
３３  防水テープ接着面
３５  第１防水テープ（防水テープ）
３６  第２防水テープ（防水テープ）
４３  床仕上げ材接着面
４５  第１床仕上げ材（床仕上げ材）
４６  第２床仕上げ材（床仕上げ材）
４７  第３床仕上げ材（床仕上げ材）
【図１】
2020148012.tif 000003
【図２】
2020148012.tif 000004
【図３】
2020148012.tif 000005
【図４】
2020148012.tif 000006
【図５】
2020148012.tif 000007
【図６】
2020148012.tif 000008
【図７】
2020148012.tif 000009
【図８】
2020148012.tif 000010